(57)【特許請求の範囲】
【請求項１】
杭頭部にアンカーボルトを内蔵した鋼管コンクリートを形成して杭と構造物柱脚との接合部を構築する杭基礎施工において、前記アンカーボルトを鋼管内に据付けるためのアンカーボルトの据付治具であって、互いに間隔をおいて設置される一対の一次据付水平材と、前記一対の一次据付水平材の両端部をそれぞれ前記鋼管の上端部に対し高さ調整可能に支持する合計４つの高さ調整金物と、前記一対の一次据付水平材上に互いに間隔をおいて設置される一対の二次据付水平材と、前記一対の二次据付水平材間に設置され、二次据付水平材に吊り支持され、上端にトッププレートが設けられているアンカーポストと、前記アンカーポストの上端に取り付けられ前記アンカーボルトを前記鋼管内の所定位置に吊り支持するためのテンプレートとからなることを特徴とするアンカーボルトの据付治具。
【請求項２】
杭頭部にアンカーボルトを内蔵した鋼管コンクリートを形成して杭と構造物柱脚との接合部を構築する杭基礎施工において、前記アンカーボルトを鋼管内に据付けるためのアンカーボルトの据付治具であって、互いに間隔をおいて設置される一対の一次据付水平材と、前記一対の一次据付水平材の両端部をそれぞれ前記鋼管の上端部に対し高さ調整可能に支持する合計４つの高さ調整金物と、前記一対の一次据付水平材上に互いに間隔をおいて設置される一対の二次据付水平材と、前記一対の二次据付水平材間に設置され、二次据付水平材に吊り支持され、上端に設けられ中央に芯合せ孔を有するとともにテンプレート固定孔が形成されたトッププレートと、上部外側面に設けられアンカーボルトを挿通するアンカー孔を有するアンカーボルト用ブラケットと、該アンカーボルト用ブラケットの上に設けられる吊り孔とを備え軸部が中空断面形状アンカーポストと、前記アンカーポストの上端に取り付けられ前記アンカーボルトを前記鋼管内の所定位置に吊り支持するための中央に芯合せ孔を有し周辺部にアンカー孔を形成したテンプレートとからなることを特徴とするアンカーボルトの据付治具。
【請求項３】
前記一次据付水平材および前記二次据付水平材はアングル材からなり、前記一次据付水平材の上面側に位置する水平片の中央部付近には前記二次据付水平材とボルト接合するためのルーズホールが形成され、該水平片の下方に位置する鉛直片の両端部付近にはそれぞれ前記高さ調整金物にボルト接合するためのルーズホールが形成されており、前記二次据付水平材の下面側に位置する水平片の両端部付近には一次据付水平材とボルト接合するためのルーズホールが形成され、該二次据付水平材の上方に位置する鉛直片の中央部付近には前記アンカーポストをボルト接合するためのボルト孔が形成されており、前記高さ調整金物は前記一次据付水平材の鉛直片とボルト接合するためのルーズホールを形成した支持板と高さ調整ボルトとを備えたものであることを特徴とする請求項１または２記載のアンカーボルトの据付治具。
【請求項４】
杭頭部にアンカーボルトを内蔵した鋼管コンクリートを形成して杭と構造物柱脚との接合部を構築する請求項１〜３のいずれか一項に記載のアンカーボルトの据付治具を用いた杭基礎の施工方法であって、次の工程を含むことを特徴とする杭基礎の施工方法。
(1) 杭頭部に上面が略水平な支持部材を形成する。
(2) 上端部外面に前記高さ調整金物を取り付けた鋼管を、前記支持部上面に、軸芯、鉛直度を調整してセットする。
(3) 前記鋼管の開口上端部に前記一対の一次据付水平材を、前記高さ調整金物により水平を保ちながら略平行に仮セットする。
(4) 前記一次据付水平材上に、前記アンカーポストの幅に合わせて略平行に一対の二次据付水平材を仮セットする。
(5) 上面中央に芯合せ孔のあるトッププレートを備えたアンカーポストを、前記鋼管の上方から所定の位置に吊り込み、該アンカーポストの外側面上部に形成した貫通ボルト用孔を前記二次据付水平材の鉛直片に形成した前記ボルト孔に合わせて貫通ボルトを通し、前記二次据付水平材に吊り支持させる。
(6) 前記トッププレート上に、中央に芯合せ孔を有し、周辺部に複数のアンカー孔を形成したテンプレートを取り付ける。
(7) 前記芯合せ孔と前記複数のアンカー孔の一つに各々下げ振りを挿入し、２つの下げ振りを通り墨に合せ、前記二次据付水平材を前記一次据付水平材に固定する。
(8) 前記高さ調整金物の高さ調整ボルトにより前記テンプレートの水平レベルを調整し、前記一次据付水平材を前記鋼管の開口上端部に本セットする。
【請求項５】
前記アンカーポストの外周位置に設置される鉄筋籠も、前記二次据付水平材に吊り支持させることを特徴とする請求項４記載の杭基礎の施工方法。
【発明の詳細な説明】
【技術分野】
【０００１】
本発明は、杭施工により地中に埋設した杭の杭頭部に、アンカーボルトを内蔵した鋼管コンクリートを形成して杭と構造物柱脚との接合部を構築するアンカーボルトの据付治具、および該据付治具を用いた杭基礎施工に関するものである。
【背景技術】
【０００２】
建築・土木構造物の杭基礎工事において、杭と構造物柱脚との接合は、例えば鉄筋コンクリート造のフーチングを造成することなどによりなされている。しかし、フーチングを用いる場合には、フーチングおよび柱の鉄筋や型枠が現場施工となるため、多くの職種が必要で工期が長くなり工費も高くつくといった問題がある。
【０００３】
そこで、フーチングを用いない施工方法が開発されてきている。例えば、特許文献１には、中空部を有する杭の杭頭部に捨て型枠としての杭頭型枠を設置して、現場打ちコンクリートによる上面が水平なアンカーフレーム支持部を形成し、そのアンカーフレーム支持部上面にアンカーフレームを据え付け、アンカーフレームにアンカーボルトを固定し、杭の杭頭部およびアンカーボルトを取り囲むように内面突起付き鋼管を配し、その内面突起付き鋼管の内部にコンクリートを充填し、アンカーボルトに鉄骨柱の脚部を接合するようにした杭と柱脚の接合部が開示されている。
【０００４】
一方、地中に埋設された杭もしくは杭頭部と構造物からの柱等を接合するには、接合部材や支持部材の上下方向および水平方向の位置を調整しながら設置する必要があるため、種々の位置決め装置や位置決め方法が検討されてきている。
【０００５】
例えば特許文献２には、溝形鋼材からなる一対の水平縦材等からなる水平枠と、溝形鋼材からなる一対の位置決め横材等からなる位置決め枠とを用いた柱と鋼管杭の位置決め装置が開示されている。
【０００６】
この他、特許文献３には、Ｌ字状のアングル材による建方用フレームにより水平調節をした鉄骨柱と既成杭との接合方法が開示されている。
【０００７】
特許文献４には、一対のアングル材により水平レベル出しを行いつつ、その上に載置される４本のアングル材からなる柱脚用アンカーフレームを定着する装置が開示されている。
【０００８】
特許文献５には、一対の１次渡し部材と一対の２次渡し部材からなるアンカーボルトのセット装置が開示されている。
【０００９】
また、特許文献６には、長孔のある一対のアングル材からなるレベル架台と、長孔のある一対のアングル材からなる位置決め用横材と、高さ調整可能な取付治具等からなる柱固定用部材設置装置が開示されている。
【先行技術文献】
【特許文献】
【００１０】
【特許文献１】特許第２９６４９２４号公報
【特許文献２】特開２００８−３１６５０号公報
【特許文献３】特開２００７−２５５００６号公報
【特許文献４】特開２００２−２５００３９号公報
【特許文献５】特公平７−１８２５３号公報
【特許文献６】特開２００６−２９１５５０号公報
【発明の概要】
【発明が解決しようとする課題】
【００１１】
特許文献２〜６に示されるように、従来からアングル材等を用いた位置決め装置が種々開発されている。しかし、これらの位置決め装置は、杭と柱を直接接合する際に用いるものやアンカーボルトを杭等に直接固定する際に用いるものであり、構造物の柱脚と杭とを接合すべく杭頭上に設置された鋼管内にアンカーボルトを位置決めして据付けるようにしたものではない。
【００１２】
前記特許文献１〜６も含め、杭頭部にアンカーボルトを内蔵した鋼管コンクリートを形成して杭と構造物柱脚との接合部を構築するアンカーボルトの据付治具を用いた杭基礎の施工については十分検討されてきていない。
【００１３】
本願発明は、上述のような課題の解決を図ったものであり、その目的とするところは、杭頭部にアンカーボルトを内蔵した鋼管コンクリートを形成して杭と構造物柱脚との接合部を構築する杭基礎施工において、アンカーボルトを鋼管内に適切に据付けることができるアンカーボルトの据付治具、および該アンカーボルトの据付治具を用いた効率的な杭基礎の施工方法の提供である。
【課題を解決するための手段】
【００１４】
本願の請求項１に係るアンカーボルトの据付治具は、杭頭部にアンカーボルトを内蔵した鋼管コンクリートを形成して杭と構造物柱脚との接合部を構築する杭基礎施工において、前記アンカーボルトを鋼管内に据付けるためのアンカーボルトの据付治具であって、互いに間隔をおいて設置される一対の一次据付水平材と、前記一対の一次据付水平材の両端部をそれぞれ前記鋼管の上端部に対し高さ調整可能に支持する合計４つの高さ調整金物と、前記一対の一次据付水平材上に互いに間隔をおいて設置される一対の二次据付水平材と、前記一対の二次据付水平材間に設置され、二次据付水平材に吊り支持され、上端にトッププレートが設けられているアンカーポストと、前記アンカーポストの上端に取り付けられ前記アンカーボルトを前記鋼管内の所定位置に吊り支持するためのテンプレートとからなることを特徴とするものである。
【００１５】
前記鋼管は、杭の上端部を含んだ杭頭部に（特許文献１の図１参照）、あるいは杭上端部上（図６(b)参照）に設置される。アンカーポストは、例えば中央に芯合せ孔のあるトッププレートと上部外側面に吊り孔とアンカーボルト用ブラケットとを備える形状のものなどが用いられ、これを前記鋼管内に設置することによって、直接的に芯合わせをすることが可能となる。
【００１６】
本願発明の据付治具は、アンカーボルトを上述の鋼管内に適切に設置するための位置決めおよび水平レベル調整治具であり、一対の一次据付水平材と、一対の二次据付水平材と、高さ調整金物と、アンカーポストなどからなる。
【００１７】
これらによる本発明の据付治具は、据付け前は一体的なものではなく、各部品あるいは部材としてバラバラに存在する。なお、一次据付水平材、二次据付水平材としては、いわゆる山形鋼などのアングル材が適するが、これに限定されるものではなく、各種、形鋼を含む棒状の鋼材を用いることができる。
本願の請求項２に係るアンカーボルトの据付治具は、杭頭部にアンカーボルトを内蔵した鋼管コンクリートを形成して杭と構造物柱脚との接合部を構築する杭基礎施工において、前記アンカーボルトを鋼管内に据付けるためのアンカーボルトの据付治具であって、互いに間隔をおいて設置される一対の一次据付水平材と、前記一対の一次据付水平材の両端部をそれぞれ前記鋼管の上端部に対し高さ調整可能に支持する合計４つの高さ調整金物と、前記一対の一次据付水平材上に互いに間隔をおいて設置される一対の二次据付水平材と、前記一対の二次据付水平材間に設置され、二次据付水平材に吊り支持され、上端に設けられ中央に芯合せ孔を有するとともにテンプレート固定孔が形成されたトッププレートと、上部外側面に設けられアンカーボルトを挿通するアンカー孔を有するアンカーボルト用ブラケットと、該アンカーボルト用ブラケットの上に設けられる吊り孔とを備え軸部が中空断面形状アンカーポストと、前記アンカーポストの上端に取り付けられ前記アンカーボルトを前記鋼管内の所定位置に吊り支持するための中央に芯合せ孔を有し周辺部にアンカー孔を形成したテンプレートとからなることを特徴とするものである。
【００１８】
本願の請求項３に係る発明は、請求項１または２に係るアンカーボルトの据付治具において、前記一次据付水平材および前記二次据付水平材はアングル材からなり、前記一次据付水平材の上面側に位置する水平片の中央部付近には前記二次据付水平材とボルト接合するためのルーズホールが形成され、該水平片の下方に位置する鉛直片の両端部付近にはそれぞれ前記高さ調整金物にボルト接合するためのルーズホールが形成されており、前記二次据付水平材の下面側に位置する水平片の両端部付近には一次据付水平材とボルト接合するためのルーズホールが形成され、該二次据付水平材の上方に位置する鉛直片の中央部付近には前記アンカーポストをボルト接合するためのボルト孔が形成されており、前記高さ調整金物は前記一次据付水平材の鉛直片とボルト接合するためのルーズホールを形成した支持板と高さ調整ボルトとを備えたものであることを特徴とするものである。
【００１９】
この請求項３では、一次据付水平材および二次据付水平材は所定の位置にルーズホールが設けられた一対のアングル材からできている。それによって、水平方向に位置調整が容易となる。
【００２０】
また、高さ調整金物（以下、「調整金物）という）は高さ調整ボルトとルーズホールのある支持板とからなる。支持板は前述の鋼管の開口部付近の外側面に取り付けられる。高さ調整ボルトはボルトとナットとからなり、一次据付水平材の高さを調整し水平レベルを出すためのものである。
【００２１】
本発明の据付治具をこのような構造のものにすることによって水平レベルが得られやすくなり、アンカーボルトの適切な据付けが容易となる。
【００２２】
本願の請求項４に係る杭基礎の施工方法は、杭頭部にアンカーボルトを内蔵した鋼管コンクリートを形成して杭と構造物柱脚との接合部を構築する請求項１〜３のいずれか一項に記載のアンカーボルトの据付治具を用いた杭基礎の施工方法であって、次の工程を含むことを特徴とするものである。
【００２３】
(1) 杭頭部に上面が略水平な支持部材を形成する。
【００２４】
(2) 上端部外面に前記高さ調整金物を取り付けた鋼管を、前記支持部上面に、軸芯、鉛直度を調整してセットする。
【００２５】
(3) 前記鋼管の開口上端部に前記一対の一次据付水平材を、前記高さ調整金物により水平を保ちながら略平行に仮セットする。
【００２６】
(4) 前記一次据付水平材上に、前記アンカーポストの幅に合わせて略平行に一対の二次据付水平材を仮セットする。
【００２７】
(5) 上面中央に芯合せ孔のあるトッププレートを備えたアンカーポストを、前記鋼管の上方から所定の位置に吊り込み、該アンカーポストの外側面上部に形成した貫通ボルト用孔を前記二次据付水平材の鉛直片に形成した前記ボルト孔に合わせて貫通ボルトを通し、前記二次据付水平材に吊り支持させる。
【００２８】
(6) 前記トッププレート上に、中央に芯合せ孔を有し、周辺部に複数のアンカー孔を形成したテンプレートを取り付ける。
【００２９】
(7) 前記芯合せ孔と前記複数のアンカー孔の一つに各々下げ振りを挿入し、２つの下げ振りを通り墨に合せ、前記二次据付水平材を前記一次据付水平材に固定する。
【００３０】
(8) 前記高さ調整金物の高さ調整ボルトにより、間接的に前記テンプレートの水平レベルを調整し、前記一次据付水平材を前記鋼管の開口上端部に本セットする。
【００３１】
(1)の支持部は、例えば、いわゆる捨てコン等によって、略水平に形成する。また、(5)に示すように、本発明の施工では、アンカーポストは中央に芯合せ孔のあるトッププレートを上面に有し、軸部は中空断面形状のものを用いる。このようなアンカーポストを用いることによって、直接的な芯合わせが可能となる。
【００３２】
(6)のテンプレートは、鋼板等の剛性の高い板材が好ましく、アンカーボルトの据付精度を高めるために用いる。
【００３３】
この杭基礎の施工方法の特徴は、鋼管とアンカーポストとを併用して杭と構造物柱脚との接合部を構築すること、この構築を適切になすために本発明の据付治具を用いアンカーポストを吊り上げた状態で位置決めをしてセットすることにある。このような施工方法を行うことによって、杭と構造物柱脚の接合が確実かつ強固となる。
【００３４】
本願の請求項５に係る杭基礎の施工方法において、前記アンカーポストの外周位置に設置される鉄筋籠も、前記二次据付水平材に吊り支持させることを特徴とするものである。
【００３５】
前述の通り、本発明の杭基礎の施工方法は、アンカーボルトの施工精度を高めるとともに接合部を強固にするために鋼管とアンカーポストを組み合わせて用いるが、これらに打設するコンクリートを耐久性のあるものとするには鉄筋コンクリートが好ましく、そのためには杭からのパイルスタッド（杭頭せん断補強筋）とアンカーポストとの間に鉄筋籠を設けることが好ましい。
【００３６】
パイルスタッドとの干渉を避けるためには、鋼管の開口部上方から設置されるアンカーポストや鉄筋籠は、落とし込んで下部で固定するのではなく吊るした状態で設置されるのが好ましいが、本発明の据付治具を用いることにより、鉄筋籠も容易に吊るした状態で設置できる。
【発明の効果】
【００３７】
本発明のアンカーボルトの据付治具（位置決め治具）を用いれば、杭頭部にアンカーボルトを内蔵した鋼管コンクリートを形成して杭と構造物柱脚との接合部を構築する杭基礎施工において、アンカーボルトを鋼管内に適切に据付けることができる。
【００３８】
すなわち、アンカーボルトを吊るした状態で設置できるので、先行施工の杭頭鉄筋であるパイルスタッドの干渉を避けることができる。また、アンカーボルトの位置決めが容易である。
【００３９】
したがって、アンカーボルトの施工精度を高めることができる。また、鉄筋籠を用いた場合は、鉄筋籠を容易に吊るした状態で設置できるので、打設するコンクリートを効果的に補強できる。
【００４０】
一方、本発明の杭基礎の施工方法によれば、杭頭部にアンカーボルトを内蔵した鋼管コンクリートを形成して杭と構造物柱脚との接合部を強固かつ容易に構築することができる。この方法は、鉄筋コンクリート造のフーチング等が不要なので面倒な工事が不要で経済的である。
【図面の簡単な説明】
【００４１】
【図１】本発明のアンカーボルトの据付治具を示したものであり、(a)は一次据付水平材の図、(b)は二次据付水平材の図、(c)は高さ調整金物の図である。
【図２】本発明に用いるアンカーポストを示したものであり、(a)は平面図、(b)は正面図、(c)は側面図、(d)は(b)のＢ−Ｂ断面図、(e)は(b)のＣ−Ｃ断面図である。
【図３】本発明に用いるテンプレートを示す図である。
【図４】杭と柱脚との接合に用いる鋼管の図であり、(a)は平面図、(b)は正面図、(c)は下部の断面図（(d)のＡ−Ａ断面図）、(d)は側面図である。
【図５】本発明に用いるアンカーボルトを示す図である。
【図６】本発明における据付治具と各種部材による接合部の組立構造例を示したもので、(a)は平断面図（(b)のＥ−Ｅ断面図）、(b)は立断面図（(a)のＤ−Ｄ断面図）である。
【発明を実施するための形態】
【００４２】
以下、本発明の実施形態について、図面に基づいて詳細に説明する。なお、本発明は、以下に説明する実施形態に限定されるものではない。
【００４３】
Ａ．アンカーボルトの据付治具
まず、本発明のアンカーボルトの据付治具について説明する。
【００４４】
本発明のアンカーボルトの据付治具は、前述の通り、別々に存在する一対の一次据付水平材と、一対の二次据付水平材（本実施形態では、何れもアングル材）と、高さ調整金物と、アンカーポストと、テンプレートとからなるが、図１(a)に一次据付水平材を、図１(b)に二次据付水平材を、図１(c)に高さ調整金物を、図２にアンカーポスト、図３にテンプレートを示す。
【００４５】
一次据付水平材１はアングル材（Ｌ字状鋼材）であり、各面にルーズホールが設けられている。図１(a)の上図は水平にセットされる面２の図であり、面２の中央には二次据付水平材６と接続するためのルーズホール３が設けられている。下図は立設してセットされる面４の図であり、面４の両端部付近には高さ調整金物により鋼管と接続するためのルーズホール５が設けられている。この一次据付水平材は、図１(a)のものを２本１組（一対）で用いる。
【００４６】
二次据付水平材６もアングル材であり、図１(b)の上図に示すように、水平にセットされる面７の両端には一次据付水平材１と接続するためのルーズホール８が設けられている。下図は立設してセットされる面９の図であり、中央付近にはアンカーポストを取り付けるためのボルトを挿入するボルト孔１０が一対設けられている。この二次据付水平材６も図１(b)のものを２本１組（一対）で用いる。
【００４７】
図１(c)は高さ調整金物１１を示す図である。図に示すように、高さ調整金物１１は高さ調整ボルト１２とルーズホール１６のあるＬ字状の支持板１５からなり、ナット１３も備わっている。支持板１５はルーズホール１６の開口部を上向きにして予め鋼管開口部付近の外側面に溶接等で固定されている。ルーズホール１６は高さ調整金物１１を一次据付水平材に接続するために設けられている。
【００４８】
高さ調整ボルト１２は一次据付水平材１の水平高さを調整するためのものであり、これで各位置での高さを調整し、ルーズホール１６と一次据付水平材１のルーズホール５とをボルトで固定することにより、一次据付水平材１の水平レベルの位置決めがなされる。
【００４９】
図２は本願発明で用いるアンカーポスト２０の一例を示したものである。アンカーポスト２０は、上端にトッププレート２１が設けられている。トッププレート２１の中心には芯合せ孔２６とテンプレート固定孔２７が形成されている。芯合せ孔２６は、アンカーポスト２０の位置合わせのためにあり設けられている。
【００５０】
トッププレート２１は、柱の軸力を受けるために設けられており、テンプレート支持材を兼ねている。また、上部外側面の各面にはブラケット２２が設けられている。
【００５１】
ブラケット２２の中央にはアンカーボルトを挿通するためのアンカー孔２３がある。また、ブラケット２２の上にはアンカーポスト２０をレッカー等で吊り上げるための吊り孔２５が備わっている。さらに、鋼管側面の中央より少し上の位置には、二次据付水平材６をアンカーポスト２０に接続するための貫通ボルト用孔２８がある。
【００５２】
このアンカーポスト２０が、一次据付水平材１および二次据付水平材６を介して吊った状態で支持されることにより、パイルスタッドとの干渉を避けて精度の高いアンカーボルトの施工ができる。
【００５３】
図３は、前記アンカーポスト２０のトッププレート２１の上に設置されるテンプレート３３の一例を示したものである。テンプレート３３はアンカーボルト保持のために用いられる。テンプレート３３の中心にも芯合せ孔３４があり、外周部にアンカー孔３５が設けられている。
【００５４】
Ｂ．杭基礎施工に用いる各種部材
次に、本願発明の杭基礎施工に用いる各種部材について説明する。
【００５５】
〔鋼管〕
図４は本願発明に用いる鋼管の一例を示したものであり、(a)は平面図、(b)は正面図、(c)は下部の断面図（(d)のＡ−Ａ断面図）、(d)は側面図である。
【００５６】
本発明の鋼管１７は、杭と柱脚との接合部に杭からのパイルスタッドやアンカーポストを覆う形で設置される。鋼管１７開口部付近の外側面には４箇所に前記高さ調整金物１１が取り付けられている。また、別の外側面には一対の吊りピース１８が設けられている。
【００５７】
また、底部外側面の４箇所には高さ調整が可能な鋼管調整金物１９と鋼管を支持部材に固定するための鋼管固定金具４０があり、この鋼管調整金物１９で鋼管１７の水平レベル出しを行い、鋼管固定金具４０で鋼管１７を支持部材（杭頭部に打設したコンクリートもしくは杭の杭頭部）に固定する。鋼管調整金物１９は前記高さ調整金物１１と同様の形状のものである（詳細は省略）。
【００５８】
〔アンカーボルト〕
図５は本願発明に用いるアンカーボルト２９の一例を示したものである。アンカーボルト２９は、一例として、直径２４ｍｍ程度の鋼棒３２からなる。鋼棒３２の両端部はネジが切ってあり、上端部には上部ダブルナット３０が、下端部には座金２枚付きの下部ダブルナット３１が設けられている。
【００５９】
このアンカーボルト２９は、４本がテンプレートから鋼管１７内に垂らされ、鋼管１７内に打設される充填コンクリートによって固定される。
【００６０】
Ｃ．接合部の組立構造例
図６は本願発明における据付治具と各種部材による接合部の組立構造の一例を示したもので、(a)は平断面図、(b)は立断面図である。
【００６１】
ＰＨＣ杭３６からはパイルスタッド３８が上方に向かって立設しており、それを取り囲む形でＰＨＣ杭３６の径より大きな内径の鋼管１７が鋼管固定金具４０により支持部材３７上に固定されている。
【００６２】
鋼管は１７は鋼管調整金具により水平レベル出しが行われ、鋼管１７の開口部が水平になるように位置決めされている。鋼管１７の開口部の上には一対の一次据付水平材１が高さ調整金物１１により位置決めされ、鋼管１７に接続されている。
【００６３】
一次据付水平材１の上には、一対の二次据付水平材６が水平になるように高さ調整金物１１により位置決めされ、一次据付水平材１に接続されている。パイルスタッド３８の内側には鉄筋籠３９が二次据付水平材６によって吊られた状態で配置され、その内側にはアンカーポスト２０が二次据付水平材６に水平かつ鉛直に位置決めされ、固定され吊られた状態で配置されている。
【００６４】
アンカーポスト２０の上にはテンプレート３３が設置され、このテンプレート３３のアンカー孔とアンカーポスト２０のブラケット２２に設けられているアンカー孔を挿通させて、アンカーボルト２９が鉄筋籠３９とアンカーポスト２０の間に４本立設されている。
【００６５】
本発明のアンカーポスト据付治具や前記各種部材を用い、この例のような組立構造の接合部にすれば、杭と柱脚との強固な接合を効率良く構築できる。
【００６６】
Ｄ．杭基礎の施工方法例
次に、図６に示す接合部の組立構造を構築する本発明の杭基礎の施工方法について説明する。
【００６７】
(1) 支持部の形成
杭体からパイルスタッド３８が立設されており、杭体の周囲が打設コンクリートにより平面となった支持部材３７（鋼管１７支持部）を形成する。
【００６８】
(2) 鉄筋籠の仮設
複数のパイルスタッド３８が環状に立設されている内側に鉄筋籠３９を最上段のフープ筋をはずした状態で仮置きし、干渉するまたは干渉しそうなパイルスタッド３８の位置を、適宜、長いパイプ等で矯正・補正する。
【００６９】
(3)鋼管の設置
予め、高さ調整金物１１や鋼管調整金物１９等を取り付けた鋼管１７をレッカーで吊上げ、杭芯墨に合せてパイルスタッド３８の周囲にセットする。
【００７０】
鋼管調整金物１９の高さ調整ボルトは鋼管底部小口面から引っ込めておき、水平方向の微調整を人力で行い所定の位置に鋼管１７をセットする。鋼管固定金具４０を所定の位置にセットし、コンクリートドリル等で支持部材３７にホールインアンカー用の孔を穿ける。ホールインアンカーと鋼管固定金具４０で鋼管１７を支持部材３７に仮固定する。鋼管調整金物１９の高さ調整ボルトを回して鋼管１７の鉛直度を調整した後、鋼管固定金具４０で鋼管１７を完全に固定する。
【００７１】
(4) 一次据付水平材の仮設置
水準器を用い、高さ調整金物１１の高さ調整ボルトにより水平を保ちながら、一対の一次据付水平材１を人力で鋼管１７の開口部縁上に所定の高さでセットする。なお、この時、一次据付水平材１の鋼管１７への固定は取付ボルトを仮締めし仮固定としておく。
【００７２】
(5) 二次据付水平材の仮設置
一対の二次据付水平材６を人力で一対の一次据付水平材１上にセットし仮固定する。
【００７３】
(6) アンカーポストの設置
アンカーポスト２０をレッカーで吊上げ、仮固定した一対の二次据付水平材６の間の所定位置に上方から落とし込み、レッカーで吊上げた状態で貫通ボルトを二次据付アングル６のアンカーポスト用のボルト孔とアンカーポスト２０の貫通ボルト用孔に通し、アンカーポスト２０と二次据付水平材６とを一体化する。
【００７４】
(7) テンプレートの取付
罫書線に合せてアンカーポスト２０のトッププレート上にテンプレート３３をセットし２本のボルトで本締めして固定する。
【００７５】
(8) アンカーボルトの取付
アンカーボルト２９をテンプレート３３のアンカー孔からアンカーポスト２０のブラケット２２に設けられたアンカー孔２３に挿通し、下端の所定の位置に定着板をセットし、上端の余長に注意してアンカーボルト２９を３本テンプレート３３上に取付ける。
【００７６】
(9) 芯出し
テンプレート３３の中央の芯合せ孔３４から下げ振りを挿入し、芯出し用定規をガムテープでテンプレート３３に固定する。そして、アンカーボルト２９を挿入していないアンカー孔３５，２３を利用してもう一つの下げ振りをセットする。
【００７７】
(10) 鉄筋籠の仮設置
先に落とし込んでいた鉄筋籠３９を引き上げ、鉄筋籠二段目のフープ筋を二次据付水平材６に仮番線で留め、あずける。あらかじめはずしておいた最上段のフープ筋を番線で取付け、前記仮番線を外し、鉄筋籠３９を二次据付水平材６から吊るす。
【００７８】
(11) 二次据付水平材、鉄筋籠の固定
前記２つの下げ振りを通り墨に合せ、二次据付水平材６の両端の中ボルトを本締めして二次据付水平材６を一次据付水平材１に固定する。この時、鉄筋籠３９の位置も正規の位置に調整し、鉄筋籠固定バーを番線で留め付け、固定する。
【００７９】
(12) 一次据付水平材の固定
４本目のアンカーボルトを取付け、テンプレート３３の水平レベルを高さ調整金物１１の高さ調整ボルトで調整後、高さ調整金物１１の中ボルトを本締めして一次据付水平材１を鋼管１７の開口部外周縁上に固定する。
【００８０】
(13) 後処置
下げ振りを取り外し、ボルトのネジ山の養生を行って作業を終了する。
【００８１】
以上の通り、本発明の杭基礎の施工方法（接合部の構造材の組立方法）によれば、各段階で各構造材の水平レベル出しや位置の微調整ができるので、アンカーポストやアンカーボルトの施工精度を高くすることができるとともに、構造材として鋼管、鉄筋籠、アンカーボルトを併用するので強固な接合部が得られる。また、テンプレートの水平レベルおよび水平位置出しも精度良く行っているので柱脚との接合も確実に行える。
【符号の説明】
【００８２】
１…一次据付水平材、２…一次据付水平材の水平セット面、３…ルーズホール、４…一次据付水平材の立設セット面、５…ルーズホール、６…二次据付水平材、７…二次据付水平材の水平セット面、８…ルーズホール、９…二次据付水平材の立設セット面、１０…アンカーポスト用ボルト孔、１１…高さ調整金物、１２…高さ調整ボルト、１３…ナット、１４…溶着金属、１５…支持板、１６…ルーズホール、１７…鋼管、１８…吊りピース、１９…鋼管調整金物、２０…アンカーポスト、２１…トッププレート、２２…ブラケット、２３…アンカー孔、２５…吊り孔、２６…芯合せ孔、２７…テンプレート固定孔、２８…貫通ボルト用孔、２９…アンカーボルト、３０…上部ダブルナット、３１…座金２枚付きの下部ダブルナット、３２…鋼棒、３３…テンプレート、３４…芯合せ孔、３５…アンカー孔、３６…ＰＨＣ杭、３７…支持部材、３８…パイルスタッド、３９…鉄筋籠、４０…鋼管固定金具
【図１】
0005563409.tif 000002
【図２】
0005563409.tif 000003
【図３】
0005563409.tif 000004
【図４】
0005563409.tif 000005
【図５】
0005563409.tif 000006
【図６】
0005563409.tif 000007